(57)【特許請求の範囲】
【請求項１】
レール断面の少なくとも一部をレール全長にわたって冷媒中で冷却することによりレールを硬化する装置であって、レール（１）の縦方向に延びてその上にレール（１）を移送するころコンベア（２）、レール（１）をころコンベア（２）上に位置ぎめする横移動手段（２１）、ころコンベア（２）に対して平行に延びて冷媒を収容する冷媒槽（５）、冷媒槽（５）に関してころコンベア（２）とは反対の側にある冷却床（６）、ころコンベア（２）と冷媒槽（５）と冷却床（６）との間で頭部（１２）を下にしてレール（１）を移送する操作つかみ（３）、冷媒槽（５）の上方に設けられかつレールの硬化過程において冷媒槽（５）にレール（１）を浸漬する少なくとも１つの位置ぎめ手段（４）を有するものにおいて、冷媒槽（５）又は位置ぎめ手段（４）の当接部（４１）及びこの当接部（４１）へ頭部（１２）を下にしたレール（１）の基部（１１）を寄りかかり可能にする締付け手段（４２）が、冷媒槽に対して直角に同時に水平に調節可能であり、かつレールを冷媒へ入れるため、同時に垂直に相対運動可能であり、それらのそれぞれの垂直保持位置及び保持時間が調節可能であることを特徴とする、装置。
【発明の詳細な説明】
【技術分野】
【０００１】  本発明は、場合によっては異なる断面形状を持ちかつ５０ｍより大きい長さを持つレール特に異形断面の走行レールを、レール断面の少なくとも一部をレール全長にわたって冷媒中で冷却することにより硬化する装置であって、ころコンベヤの範囲にある横移動手段、レールを硬化装置へ移送する操作つかみ、少なくとも１つの位置ぎめ手段、冷媒槽及び冷却床を有するものに関する。
【背景技術】
【０００２】  炭素を含みかつ圧延後冷却床へ移送されて冷却される低合金鋼から成るレールは、例外なくパーライト組織を持ち、材料はそれに応じた機械的特性を持っている。特に列車の大きい車軸荷重及び場合によっては高い速度の場合及びきついカーブにおいて、レール摩耗を少なくするため、従来技術によれば、少なくとも荷重を受けるレール頭部が高い硬度、高い耐摩耗性及び少ない亀裂発生を持つように、特別な熱処理によって組織を調節することができる。【０００３】  レールの冷却の際組織の適切な形成によりレールを硬化する装置は、吹付け冷却装置の通常又は冷媒への没入のために構成することができる。【０００４】  レール硬化用通過吹付け冷却装置は、一般に簡単に構成されるが、大きい所要場所という欠点を持ち、製造過程においてレールの望ましくない品質変動を効果的に防止することもできない。更に通過吹付け冷却装置では、先端レール、溝付きレール、平底レール等のような種々の断面輪郭に必要な程度で冷却を精確に合わせることができず、場合によっては断面範囲の冷却の際歪みが不均一な冷媒作用従ってレールの長さにわたる材料の硬度変動を生じる。【０００５】  レールの吹付け熱処理の際レールを動かないようにするか、又はなるべくそのつどの吹付け手段の間隔だけ交互に僅か移動させることが、既に提案された。【０００６】  更にレール又はレールの断面の一部の熱処理装置を１つ又は複数の浸漬槽により形成することが、公知である。【０００７】  高い圧延能力で硬化されるレールを連続的に製造する際、オーストリア特許第４１０５４９号明細書によれば、少なくとも２つの液体冷却装置を整列手段に対して平行に配置し、ころコンベアのころの間に圧延品載置片を持つ横移送手段を設けて、ころコンベアから冷却装置の操作機へ移送し、続いてこの冷却装置から冷却床の載置範囲へ移すことが既に提案された。こうして熱処理装置によるレールの処理量を高めることができる。しかし圧延スタンドからのレールの退出、ころコンベアにおけるレールの整列及び回転は、能動整列手段では無制限に可能ではない。
【発明の概要】
【発明が解決しようとする課題】
【０００８】  ここで本発明は、上記の欠陥を除去し、レール特に異形断面の走行レールを硬化するため最初にあげた種類の装置を提供し、それにより高い動作能力で確実にかつ高品質のレールを経済的に製造可能にすることである。【０００９】  詳細には装置が、
圧延装置から出るレールの妨げられない迅速な移送のため、
レールの軸線方向整列を可能にし、位置ぎめ手段への寸法の精確な挿入を可能にしかつ／又は引渡し手段及び／又は冷却床上へ下ろす操作つかみ、
歪みのない締付け用の位置ぎめ手段及び／又は
位置ぎめ手段と共同作用して使用可能な急冷手段
を持ち、
制御手段により、装置部品が、レールの断面の頭部及び／又は他の部分及び／又は全表面の周期的浸漬が、レールの冷却中に調節可能であるようにする。
【課題を解決するための手段】
【００１０】  レールの断面にわたって局部的に異なる有効冷却強さでレールを冷却する新しい装置を提供するという本発明の目的は、冷媒槽、位置ぎめ手段のすべての保持部品のレール基部用締付け手段が、レールを冷媒へ入れるため、同時に垂直に相対運動可能であり、それらのそれぞれの垂直保持位置及び保持時間が調節可能であることによって達せられる。【００１１】  レール断面にわたるこのような所望の組織構成及び異なる微細組織を持つ組織範囲も有利に得られ、それにより特別な要求に対して有利に形成される特性輪郭を持つこのようなレールが製造可能である。【００１２】  場合によっては異なる断面輪郭を持つレールにおいて、頭部硬度及び断面にわたる機械的性質の分布を最適化するため、位置ぎめ手段のすべての保持部品のレール基部用当接部及び締付け手段が、冷媒槽に対して直角に同時に水平に調節可能である。【００１３】  実施手段を示す図面により本発明が以下に説明される。
【図面の簡単な説明】
【００１４】
【図１】  レールの縦軸線に対して直角な断面図でレールの硬化装置を示す。
【図２】  操作つかみのトング内にあるレールを示す。
【図３】  位置ぎめ手段及び冷媒槽をレールの縦軸線に対して直角な断面図で示す。
【図４】  レールの断面輪郭を示す。
【発明を実施するための形態】
【００１５】  図１に本発明の実施例が断面図で示されている。レール１は、最後の圧延穴型（図示せず）の後でころコンベヤ２上に移送され、横移動手段２１によりころコンベヤ２上に位置ぎめされる。
【００１６】  ころコンベヤ２にある位置から、図２に示すようにレール１の長さにわたってつかみ腕３１，３１′を有する多数のトング３０を持つ操作つかみ３により、レール１の受入れが行われる。つかみ腕３１，３１′は、レール頭部１２を軸線方向に整列させる心出し部分３１２，３１２′及びレール基部１１の垂れ下がり保持用つかみ部分３１１，３１１′を形成され、レール基部１１のフランジ端部からつかみ腕３１，３１′までの間隔は、図４に１Ｚ，１Ｒ，１Ｖとして示すように異なるレール輪郭の頭部側を、トング３０の心出し部分３１２，３１２′により軸線方向に整列させるため、大きくされている。
【００１７】  図１に示されている本発明による操作つかみ３は、ころコンベヤ２上で横たわり位置にあるレール１を、レールの長さにわたる多数のトング３０により位置に合わせてつかみ、つかみ腕３１，３１′による保持によって軸線方向に整列させる。トング３０は、機械技術的に構成される部分により、  心出し部分３１２，３１２′の同時締付けを行いながら、レール軸線に対して直角に垂直運動、水平運動及び回転運動可能なので、側方にあるレール１はころコンベヤから受取られ、軸線方向に向けられ、水平な基部面を持つ垂れ下がり位置へ回され、図３に示すように位置ぎめ手段４の当接部４１，４１′上へもたらされる。
【００１８】  図１に示されているのと同じように、レール１，１′はころコンベヤ２又は位置ぎめ手段４から受取り可能であり、かつ冷却床６上又は引渡し手段６１上へ下ろし可能である。
【００１９】  本発明による位置ぎめ手段４は図３に示され、レール１の長さにわたって当接部４１，４１′を有する保持部品４０，４０′を持ち、レール１が軸線方向に向けられて保持部品へ挿入可能である。締付け手段４２，４２′は当接部４１，４１′の方へレール基部１１のフランジ端部へ寄りかかり可能である。位置ぎめ手段４及び冷媒５０を収容する冷媒槽５は、レール１の硬化過程において共同作用する。
【００２０】  本発明によれば、図１からわかるように、冷媒５０を持つ少なくとも２つの冷媒槽５が軸線を平行にして並んで装置に設けられ、レール１の硬化のために利用可能な冷媒槽５内の冷媒５０部分が、冷媒５０中へレールの全範囲の浸漬を可能にするため、レールの最大高さより大きい深さを持っている。
【００２１】  図３に示すように、冷媒入口５４及び冷媒転向装置５３は冷媒槽５の底側に設けられ、レール１に沿って流れる際冷媒５０の流速の均一化のため、冷媒槽５の全長にわたって流れを通すことができる板５１及び／又はノズル板５２が、浸漬空間の方へ挿入可能である。
【００２２】  レール１用位置ぎめ手段１及び冷媒５０を持つ冷媒槽５は、前述したように共同作用し、制御装置（図示せず）により相対運動可能であり、少なくとも“断面部分の浸漬”及び／又は“頭部硬化”及び／又は“全範囲浸漬硬化”の位置に特定期間位置ぎめ可能である。
【００２３】  図４において平底レール１Ｖに対比して先端レール１Ｚ、溝付きレール１Ｒに対して示すように、レール１の異なる断面輪郭に対して、頭部軸線ｘと基部軸線ｙの間に軸線偏差ＡＺ，ＡＲがあってもよい。断面輪郭にそれぞれ関係なく中心で、冷媒槽５内のレール頭部の大部分を冷媒５０の流れにさらすため、軸線偏差ＡＺ，ＡＸに相当する位置ぎめ手段４及び冷媒槽５の水平及び軸線平行な位置ぎめが調整可能である。
【符号の説明】
【００２４】１                      レール
１１                    レール基部
１２                    レール頭部
１Ｚ                    先端レール
１Ｒ                    溝付きレール
１Ｖ                    平底レール
ｙ                      基部中心軸線
ｘ                      頭部中心軸線
Ａ                      軸線偏差
Ｈ                      レール高さ
２                      ころコンベア
２１                    横移動手段
３                      操作つかみ
３０                    トング
３１，３１′            つかみ腕
３１１，３１１′        つかみ部分
３１２，３１２′        心出し部分
４                      位置ぎめ手段
４０，４０′            保持部品
４１，４１′            当接部
４２，４２′            締付け手段
５                      冷媒槽
５０                    冷媒
５１                    流通板
５２                    ノズル板
５３                    冷媒転向装置
５４                    冷媒入口
６                      冷媒床
６１                    引渡し手段
【図１】
0005551736.tif 000002
【図２】
0005551736.tif 000003
【図３】
0005551736.tif 000004
【図４】
0005551736.tif 000005